(57)【要約】【課題】画像データとフォームデータとの合成画像データの印刷実行前に合成画像データを視認可能とする。【解決手段】画像形成装置１０からのフォーム合成指示に応じて、確認用画像データ生成処理部７２は、特定されたフォームのフォームデータをフォームデータベース７７から取り出し、送られてきた画像データと合成して確認用画像データを生成する。画像形成装置１０の表示処理部２５は、フォーム管理サーバ５０から送られてきた確認用画像データを操作パネルに表示してユーザに合成画像データを確認させる。その後、印刷指示受付処理部２６がユーザからの印刷指示を受け付けると印刷指示をフォーム管理サーバ５０へ送る。フォーム管理サーバ５０は、画像データとフォームデータを合成して画像データを生成し、印刷ジョブを生成、送信して画像形成装置１０に印刷を実行させる。【選択図】図４
2008112312.tif 000002
【特許請求の範囲】
【請求項１】
印刷対象の画像データを取得する取得処理手段と、
取得された当該画像データと合成するフォームを特定する特定処理手段と、
前記取得処理手段により取得された画像データ及び前記特定処理手段により特定されたフォームデータを合成して確認用画像データを生成する確認用画像データ生成手段と、
確認用画像データを表示する表示手段と、
確認用画像データを参照したユーザによる印刷指示を受け付ける受付処理手段と、
印刷指示に応じて印刷ジョブを生成するジョブ生成手段と、
生成された印刷ジョブを実行するジョブ実行手段と、
を有することを特徴とするフォーム印刷システム。
【請求項２】
請求項１記載のフォーム印刷システムにおいて、
印刷を行う画像形成装置と、
フォームデータを保持管理するフォーム管理サーバと、
を有し、
前記画像形成装置は、前記取得処理手段、前記特定処理手段、前記表示手段、前記受付処理手段及び前記ジョブ実行手段を有し、
前記フォーム管理サーバは、前記確認用画像データ生成手段及び前記ジョブ生成手段を有することを特徴とするフォーム印刷システム。
【請求項３】
印刷対象の画像データを取得する取得処理手段と、
取得された当該画像データと合成するフォームを特定する特定処理手段と、
前記画像データ及び当該画像データと合成するフォームとを示すフォーム合成指示をサーバへ送信する合成指示送信手段と、
前記サーバがフォーム合成指示に応じて、送信した画像データ及び特定したフォームデータを合成することによって生成した確認用画像データを受信する確認用画像データ受信手段と、
受信された確認用画像データを表示する表示手段と、
確認用画像データを参照したユーザによる印刷指示を受け付ける受付処理手段と、
印刷指示に応じて印刷ジョブ生成要求を前記サーバへ送信する印刷ジョブ生成要求送信手段と、
前記サーバから送られてきた印刷ジョブを実行する印刷ジョブ実行手段と、
を有することを特徴とする画像形成装置。
【請求項４】
請求項３記載の画像形成装置において、
前記取得処理手段は、前記画像形成装置が持つ機能のうち、ファクシミリ機能を利用して受信した画像データ、ネットワーク通信機能を利用して受信した画像データ、あるいはスキャナ機能を利用して読み取られた画像データを、印刷対象の画像データとして取得することを特徴とする画像形成装置。
【請求項５】
請求項３記載の画像形成装置において、
前記特定処理手段は、前記サーバから送られてきたフォームリストの中からユーザに選択させることでフォームを特定することを特徴とする画像形成装置。
【請求項６】
請求項３記載の画像形成装置において、
前記合成指示送信手段は、フォーム合成指示と共に確認用画像データを生成する際に参照される印刷属性情報を送信することを特徴とする画像形成装置。
【請求項７】
請求項３記載の画像形成装置において、
前記受付処理手段は、印刷指示と共に、確認用画像データが生成されたときに参照された印刷属性とは異なる設定の印刷属性を印刷属性変更指示として受け付けることを特徴とする画像形成装置。
【請求項８】
画像形成装置から送られてきたフォーム合成指示に応じて、送られてきた画像データを、特定されたフォームデータと合成して確認用画像データを生成する確認用画像データ生成手段と、
前記画像形成装置から送られてきた印刷指示に応じて印刷ジョブを生成するジョブ生成手段と、
生成された印刷ジョブを印刷指示元の画像形成装置へ送信するジョブ送信手段と、
を有することを特徴とするフォーム管理サーバ。
【請求項９】
少なくとも印刷機能を有する画像形成装置に搭載されたコンピュータを、
印刷対象の画像データを取得する取得処理手段、
取得された当該画像データと合成するフォームを特定する特定処理手段、
前記画像データ及び当該画像データと合成するフォームとを示すフォーム合成指示をサーバへ送信する合成指示送信手段、
前記サーバがフォーム合成指示に応じて、送信した画像データ及び特定したフォームデータを合成することによって生成した確認用画像データを受信する確認用画像データ受信手段、
受信された確認用画像データを表示する表示手段、
確認用画像データを参照したユーザによる印刷指示を受け付ける受付処理手段、
印刷指示に応じて印刷ジョブ生成要求を前記サーバへ送信する印刷ジョブ生成要求送信手段、
前記サーバから送られてきた印刷ジョブを実行する印刷ジョブ実行手段、
として機能させるフォーム印刷プログラム。
【請求項１０】
コンピュータを、
画像形成装置から送られてきたフォーム合成指示に応じて、送られてきた画像データを、特定されたフォームデータと合成して確認用画像データを生成する確認用画像データ生成手段、
前記画像形成装置から送られてきた印刷指示に応じて印刷ジョブを生成するジョブ生成手段、
生成された印刷ジョブを印刷指示元の画像形成装置へ送信するジョブ送信手段、
として機能させるフォーム印刷プログラム。
【発明の詳細な説明】
【技術分野】
【０００１】
本発明は、画像形成対象データとフォームとを合成して画像を形成するシステム、装置等に関する。
【背景技術】
【０００２】
例えば、請求書や日報等の定型フォームを予め電子化しておき、その電子化した定型フォームに請求等の実績データを合成して印刷する場合がある。また、仕様書などの文書データにおいても同様に記述内容を形式的に統一するために定型フォームを利用する場合がある。このように、実績データや記述データ等定型フォームに当てはめる実際のデータ（以下、「実データ」と総称）とフォームデータとを合成してプリントする場合、従来においては、フォームデータをクライアント側に保持させ、印刷要求時にフォームデータを実データと共に画像形成装置等の印刷機能を有する装置に送り、画像形成装置は、送られてきたフォームデータと実データとを合成してプリントしていた。あるいは、フォームデータを画像形成装置に予め保持させておいて、画像形成装置は、印刷要求時に送られてきた実データを、指定されたフォームと合成してプリントしていた。
【発明の開示】
【発明が解決しようとする課題】
【０００３】
しかしながら、従来においては、画像形成装置により実際に印刷が行われる前に合成された内容（画像イメージ）を確認することができなかった。
【０００４】
本発明は、画像データとフォームデータとの合成画像データの印刷実行前に合成画像データを確認可能とすることを目的とする。
【課題を解決するための手段】
【０００５】
本発明に係るフォーム印刷システムは、印刷対象の画像データを取得する取得処理手段と、取得された当該画像データと合成するフォームを特定する特定処理手段と、前記取得処理手段により取得された画像データ及び前記特定処理手段により特定されたフォームデータを合成して確認用画像データを生成する確認用画像データ生成手段と、確認用画像データを表示する表示手段と、確認用画像データを参照したユーザによる印刷指示を受け付ける受付処理手段と、印刷指示に応じて印刷ジョブを生成するジョブ生成手段と、生成された印刷ジョブを実行するジョブ実行手段とを有することを特徴とする。
【０００６】
また、印刷を行う画像形成装置と、フォームデータを保持管理するフォーム管理サーバとを有し、前記画像形成装置は、前記取得処理手段、前記特定処理手段、前記表示手段、前記受付処理手段及び前記ジョブ実行手段を有し、前記フォーム管理サーバは、前記確認用画像データ生成手段及び前記ジョブ生成手段を有することを特徴とする。
【０００７】
本発明に係る画像形成装置は、印刷対象の画像データを取得する取得処理手段と、取得された当該画像データと合成するフォームを特定する特定処理手段と、前記画像データ及び当該画像データと合成するフォームとを示すフォーム合成指示をサーバへ送信する合成指示送信手段と、前記サーバがフォーム合成指示に応じて、送信した画像データ及び特定したフォームデータを合成することによって生成した確認用画像データを受信する確認用画像データ受信手段と、受信された確認用画像データを表示する表示手段と、確認用画像データを参照したユーザによる印刷指示を受け付ける受付処理手段と、印刷指示に応じて印刷ジョブ生成要求を前記サーバへ送信する印刷ジョブ生成要求送信手段と、前記サーバから送られてきた印刷ジョブを実行する印刷ジョブ実行手段とを有することを特徴とする。
【０００８】
また、前記取得処理手段は、前記画像形成装置が持つ機能のうち、ファクシミリ機能を利用して受信した画像データ、ネットワーク通信機能を利用して受信した画像データ、あるいはスキャナ機能を利用して読み取られた画像データを、印刷対象の画像データとして取得することを特徴とする。
【０００９】
また、前記特定処理手段は、前記サーバから送られてきたフォームリストの中からユーザに選択させることでフォームを特定することを特徴とする。
【００１０】
また、前記合成指示送信手段は、フォーム合成指示と共に確認用画像データを生成する際に参照される印刷属性情報を送信することを特徴とする。
【００１１】
また、前記受付処理手段は、印刷指示と共に、確認用画像データが生成されたときに参照された印刷属性とは異なる設定の印刷属性を印刷属性変更指示として受け付けることを特徴とする。
【００１２】
本発明に係るフォーム管理サーバは、画像形成装置から送られてきたフォーム合成指示に応じて、送られてきた画像データを、特定されたフォームデータと合成して確認用画像データを生成する確認用画像データ生成手段と、前記画像形成装置から送られてきた印刷指示に応じて印刷ジョブを生成するジョブ生成手段と、生成された印刷ジョブを印刷指示元の画像形成装置へ送信するジョブ送信手段とを有することを特徴とする。
【００１３】
本発明に係るフォーム印刷プログラムは、少なくとも印刷機能を有する画像形成装置に搭載されたコンピュータを、印刷対象の画像データを取得する取得処理手段、取得された当該画像データと合成するフォームを特定する特定処理手段、前記画像データ及び当該画像データと合成するフォームとを示すフォーム合成指示をサーバへ送信する合成指示送信手段、前記サーバがフォーム合成指示に応じて、送信した画像データ及び特定したフォームデータを合成することによって生成した確認用画像データを受信する確認用画像データ受信手段、受信された確認用画像データを表示する表示手段、確認用画像データを参照したユーザによる印刷指示を受け付ける受付処理手段、印刷指示に応じて印刷ジョブ生成要求を前記サーバへ送信する印刷ジョブ生成要求送信手段、前記サーバから送られてきた印刷ジョブを実行する印刷ジョブ実行手段として機能させる。
【００１４】
本発明に係るフォーム印刷プログラムは、コンピュータを、画像形成装置から送られてきたフォーム合成指示に応じて、送られてきた画像データを、特定されたフォームデータと合成して確認用画像データを生成する確認用画像データ生成手段、前記画像形成装置から送られてきた印刷指示に応じて印刷ジョブを生成するジョブ生成手段、生成された印刷ジョブを印刷指示元の画像形成装置へ送信するジョブ送信手段として機能させる。
【発明の効果】
【００１５】
本発明によれば、フォーム印刷を実行する前に、画像データとフォームデータとを合成した画像データを表示することができるので、合成された状態の印刷イメージをユーザに視認させることができる。
【発明を実施するための最良の形態】
【００１６】
以下、図面に基づいて、本発明の好適な実施の形態について説明する。
【００１７】
図１は、本発明に係るフォーム印刷システムの一実施の形態を示した全体構成図である。図１には、画像形成装置１０と、フォーム管理サーバ５０と、画像形成装置１０又はフォーム管理サーバ５０を接続するＬＡＮ（Ｌｏｃａｌ  Ａｒｅａ  Ｎｅｔｗｏｒｋ）２と、各ＬＡＮ２をそれぞれ公衆網６と接続するファイアウォール（ＦＷ）４とが示されている。画像形成装置１０は、印刷、複写、ＦＡＸ等の複数の機能を搭載した装置である。本実施の形態では、特にフォーム印刷を行いたいユーザによる使用を想定している。フォーム管理サーバ５０は、フォームデータを一括管理するサーバコンピュータである。なお、本実施の形態においてフォーム印刷とは、見出し文字や罫線枠などのフォームデータを文書等のイメージデータと重ね合わせて印刷することと定義している。本実施の形態では、複数台の画像形成装置１０で１台のフォーム管理サーバ５０を共有するよう構成したが、複数台のフォーム管理サーバ５０を接続して所望するフォーム管理サーバ５０を利用できるように構成してもよい。
【００１８】
図２は、本実施の形態における画像形成装置１０のハードウェア構成図である。画像形成装置１０は、上記の通りコピー機能、スキャナ機能等各種機能を搭載した複合機であり、コンピュータを内蔵した装置である。図２において、ＣＰＵ１１は、ＲＯＭ１９に格納されたプログラムにしたがってスキャナ１４やプリンタエンジン１６等本装置に搭載された各種機構の動作制御を行う。アドレスデータバス１２は、ＣＰＵ１１の制御対象となる各種機構と接続してデータの通信を行う。操作パネル１３は、ユーザからの指示の受け付け、情報の表示を行う。スキャナ１４は、ユーザがセットした原稿を読み取り、電子データとしてＨＤＤ（Ｈａｒｄ  Ｄｉｓｋ  Ｄｒｉｖｅ）１５等に蓄積する。ＨＤＤ１５は、スキャナを使用して読み取った電子文書などを格納する。親展ボックスは、ＨＤＤ１５に設けられる。プリンタエンジン１６は、ＣＰＵ１１で実行される制御プログラムからの指示に従い出力用紙上に画像を印字する。ネットワークインタフェース（Ｉ／Ｆ）１７は、ＬＡＮ２を接続し、本装置が生成した電子データの送信、本装置宛に送信されてきた電子メールの受信、またブラウザ経由による本装置へのアクセスなどに利用される。ランダムアクセスメモリ（ＲＡＭ）１８は、プログラム実行時のワークメモリや電子データ送受信時の通信バッファとして利用される。リードオンリメモリ（ＲＯＭ）１９は、本装置の制御や電子データの暗号、電子データの送受信に関する各種プログラムが格納されている。各種プログラムが実行されることで後述する各構成要素が所定の処理機能を発揮する。外部メディアインタフェース（Ｉ／Ｆ）２０は、ＵＳＢメモリ、フラッシュメモリ等の外部メモリ機器とのインタフェースである。
【００１９】
図３は、本実施の形態におけるフォーム管理サーバ５０のハードウェア構成図である。本実施の形態においてフォーム管理サーバ５０を形成するサーバコンピュータは、従前から存在する汎用的なハードウェア構成で実現できる。すなわち、コンピュータは、図３に示したようにＣＰＵ５１、ＲＯＭ５２、ＲＡＭ５３、ハードディスクドライブ（ＨＤＤ）５４を接続したＨＤＤコントローラ５５、入力手段として設けられたマウス５６とキーボード５７、及び表示装置として設けられたディスプレイ５８をそれぞれ接続する入出力コントローラ５９、通信手段として設けられたネットワークコントローラ６０を内部バス６１に接続して構成される。
【００２０】
図４は、本実施の形態におけるフォーム印刷システムを構成する画像形成装置１０及びフォーム管理サーバ５０の各ブロック構成図である。
【００２１】
まず、画像形成装置１０は、取得処理部２１、特定処理部２２、合成指示送信部２３、確認用画像データ受信部２４、表示処理部２５、印刷指示受付処理部２６、印刷ジョブ生成依頼処理部２７、印刷ジョブ受付部２８及び印刷処理部２９を有している。取得処理部２１は、画像形成対象とするデータを取得する。ここで取得された画像データがフォームと合成される。特定処理部２２は、取得された画像データと合成するフォームを特定する。合成指示送信部２３は、フォーム管理サーバ５０へ確認用画像データ生成のためにフォーム合成指示を送信する。確認用画像データ受信部２４は、合成指示に応じてフォーム管理サーバ５０が生成した確認用画像データを受信する。表示処理部２５は、確認用画像データを画面表示する。印刷指示受付処理部２６は、確認用画像データを参照したユーザによる印刷指示を受け付ける。印刷ジョブ生成依頼処理部２７は、受け付けた印刷指示に応じて印刷ジョブ生成指示をフォーム管理サーバ５０へ送信する。印刷ジョブ受付部２８は、印刷ジョブ生成指示に応じてフォーム管理サーバ５０が生成した印刷ジョブを受信する。印刷処理部２９は、受け付けた印刷ジョブを逐次処理することで印刷を実行する。画像形成装置１０における各構成要素２１〜２９は、画像形成装置１０に搭載されたコンピュータと、コンピュータに搭載されたＣＰＵ１１で動作するプログラムとの協調動作により実現される。
【００２２】
フォーム管理サーバ５０は、合成指示受付部７１、確認用画像データ生成処理部７２、確認用画像データ送信部７３、印刷ジョブ生成依頼受付部７４、印刷ジョブ生成処理部７５、印刷ジョブ送信部７６及びフォームデータベース（ＤＢ）７７を有している。合成指示受付部７１は、画像形成装置１０から送られてきたフォーム合成指示を受信することで受け付ける。確認用画像データ生成処理部７２は、受け付けたフォーム合成指示に応じて送られてきた画像データに、特定されたフォームをフォームデータベース７７から取り出し合成することで確認用画像データを生成する。確認用画像データ送信部７３は、生成された確認用画像データをフォーム合成指示送信元の画像形成装置１０へ送信する。印刷ジョブ生成依頼受付部７４は、画像形成装置１０から送られてきた印刷ジョブ生成指示を受信することで受け付ける。印刷ジョブ生成処理部７５は、受け付けた印刷ジョブ生成指示に応じて印刷ジョブを生成する。印刷ジョブ送信部７６は、生成された印刷ジョブを印刷ジョブ生成指示送信元の画像形成装置１０へ送信する。フォームデータベース７７には、上記のように、本システム内で用いるフォームデータが格納されている。フォーム管理サーバ５０における各構成要素７１〜７６は、フォーム管理サーバ５０を形成するコンピュータと、コンピュータに搭載されたＣＰＵ５１で動作するプログラムとの協調動作により実現される。また、フォームデータベース７７は、ＨＤＤ５４にて実現される。
【００２３】
画像形成装置１０及びフォーム管理サーバ５０に搭載される各種プログラムは、通信手段により提供することはもちろん、ＣＤ−ＲＯＭ等の記録媒体に格納して提供することも可能である。
【００２４】
次に、本実施の形態における動作について図５に示したフローチャートを用いて説明する。
【００２５】
本実施の形態では、図５に示したように印刷を実行する画像形成装置１０と、画像形成装置１０からの要求に応じて画像データとフォームとを合成する機能を有するフォーム管理サーバ５０とが連携しながらフォーム印刷処理を実施することになる。
【００２６】
まず、取得処理部２１は、フォームと合成されて印刷される画像データを取得する（ステップ１１０）。画像データ及びその取得先は、ユーザにより指定されることになるが、ＨＤＤ１５に格納されているデータファイル、スキャナ１４による読取画像、ＬＡＮ２経由で送られてくる画像データ等が指定される。次に、特定処理部２２は、取得した画像データと合成するフォームを特定する（ステップ１２０）。画像形成装置１０に合成候補となるフォームデータの一覧を事前に登録し、操作パネル１３にリスト表示し、その中から選択させるようにしてもよいが、本実施の形態の場合、合成候補となるフォームデータは、フォーム管理サーバ５０のフォームデータベース７７に格納されているので、次のようにしてユーザにフォームを特定させる。
【００２７】
すなわち、特定処理部２２がフォーム管理サーバ５０に一覧表示要求を送信すると、フォーム管理サーバ５０は、その要求に応じてフォームデータベース７７に格納されているフォームデータのリスト、例えばフォーム名のリストを画面表示するためのＨＴＭＬファイルを生成して要求元の画像形成装置１０へ送信する。特定処理部２２は、画像形成装置１０搭載のブラウザ機能によって受信したＨＴＭＬファイルを操作パネル１３に表示する。この画面表示されたフォーム名リストの中からユーザに所望のフォームを指定させる。
【００２８】
ユーザによりいずれかのフォーム名が指定されることによって、合成対象のフォームデータが特定されると、合成指示送信部２３は、画像データと共に、特定されたフォームを特定するための情報、ここではフォーム名を送信することによってフォーム合成指示をフォーム管理サーバ５０へ出す（ステップ１３０）。
【００２９】
フォーム合成指示というのは、フォーム管理サーバ５０に、特定したフォームのフォームデータと送信する画像データとを合成して確認用画像データを生成させることを指示するための情報である。そして、生成される確認用画像データというのは、実際に印刷が実行される前に印刷イメージを確認するために生成される画像データである。つまり、印刷画像データを生成させるためには、フォントサイズや１枚の用紙に印刷させるページ数、両面印刷等の印刷属性に関する情報が必要となってくるので、印刷属性に関する情報もフォーム合成指示を送信する際に合わせて送信することが望ましい。
【００３０】
フォーム管理サーバ５０において、合成指示受付部７１が画像形成装置１０から送られてきたフォーム合成指示を受け付けると（ステップ２１０）、確認用画像データ生成処理部７２は、画像形成装置１０において特定されたフォームのフォームデータをフォームデータベース７７から読み出し、送られてきた画像データとその読み出したフォームデータとを合成することで確認用画像データを生成する（ステップ２２０）。確認用画像データは、上記の通り、印刷イメージを確認しうる画像データであることから、確認用画像データを生成する際には印刷属性に関する情報を参照することになる。この印刷属性に関する情報は、全ての印刷属性情報を画像形成装置１０から受け取るようにしてもよいし、フォーム管理サーバ５０に画像形成装置１０の機種毎に印刷属性の初期値を持たせておき、画像形成装置１０から初期値と異なる属性設定値のみを受け取るようにしてもよい。確認用画像データ生成処理部７２により確認用画像データが生成されると、確認用画像データ送信部７３は、確認用画像データをフォーム合成指示送信元の画像形成装置１０へ送信する（ステップ２３０）。
【００３１】
画像形成装置１０において、フォーム合成指示に応じて返信されてきた確認用画像データを確認用画像データ受信部２４が受信すると（ステップ１４０）、表示処理部２５は、その受信した確認用画像データを操作パネル１３に表示する（ステップ１５０）。操作パネル１３の表示領域サイズや解像度に依存することになるが、本実施の形態では、大まかな印刷イメージを提供すればよいと考え、確認用画像データをサムネイル表示するようにした。
【００３２】
この操作パネル１３に表示された確認用画像データを参照したユーザが、この表示内容での印刷を容認したことで操作パネル１３に表示された所定ボタンの選択操作を行うと、印刷ジョブ生成依頼処理部２７は、印刷ジョブの生成要求をフォーム管理サーバ５０へ送信することで印刷ジョブの生成指示を出す（ステップ１６０）。
【００３３】
もし、ユーザが印刷は実行したいものの用紙サイズやフォント等何らかの印刷属性を変更したい場合、所定の属性設定操作を行って所望の印刷属性値に変更する。そして、印刷ジョブ生成依頼処理部２７は、変更した印刷属性情報を印刷ジョブ生成要求に含めてフォーム管理サーバ５０へ送信することで印刷属性変更指示を出す。
【００３４】
また、確認用画像データを参照したユーザが、何らかの理由により印刷を中止したい場合も考えられる。この場合は、操作パネル１３に表示された所定の中止ボタンやキャンセルボタンを押下することで中止することができる。このように、印刷を中止した場合、その旨をフォーム管理サーバ５０に知らせなくても良いが、フォーム管理サーバ５０には、ステップ２２０で生成した画像データが残った状態にあるので、これを回避するために、中止した旨をフォーム管理サーバ５０に通知して画像データを削除させるようにしてもよい。あるいは、フォーム管理サーバ５０側がステップ２２０において画像データが生成されてからの経過時間を計時して、所定時間を経過した場合に自動削除するようにしてもよい。このようにすれば、画像形成装置１０は、中止した旨をフォーム管理サーバ５０に通知しなくても画像データが残存した状態を回避することができる。
【００３５】
フォーム管理サーバ５０において、印刷ジョブ生成依頼受付部７４が画像形成装置１０から送られてきた印刷指示を受け付けると（ステップ２４０）、印刷ジョブ生成処理部７５は、ステップ２２０におけるデータ合成処理にて合成により生成した画像データの印刷ジョブを生成する（ステップ２５０）。このとき、画像形成装置１０から印刷属性変更指示が送られてきていれば、その変更指示を反映させた印刷ジョブを生成する。なお、フォーム管理サーバ５０は、複数の画像形成装置１０から並行してフォーム合成指示や印刷指示を受け付ける場合があるので、ステップ２２０において生成した画像データが、このステップ２４０における印刷指示対象であることを関連付けられるように管理しておく必要があるが、これは、要求元の画像形成装置１０、処理対象の画像データ、あるいは要求したユーザなどの各識別情報を組み合わせることによって関連付けておけばよい。このようにして、印刷ジョブが生成されると、印刷ジョブ送信部７６は、印刷ジョブを印刷指示送信元の画像形成装置１０へ送信する（ステップ２６０）。
【００３６】
画像形成装置１０において、印刷指示に応じて送られてきた印刷ジョブを印刷ジョブ受付部２８が受け付けると（ステップ１７０）、印刷処理部２９は、その印刷ジョブを実行することで、画像データを印刷する（ステップ１８０）。
【００３７】
本実施の形態によれば、以上のようにしてフォーム印刷を実行する前に合成した画像データを操作パネル１３に表示することができるので、ユーザに印刷イメージを視認させることができる。
【図面の簡単な説明】
【００３８】
【図１】本発明に係るフォーム印刷システムの一実施の形態を示した全体構成図である。
【図２】本実施の形態における画像形成装置のハードウェア構成図である。
【図３】本実施の形態におけるフォーム管理サーバのハードウェア構成図である。
【図４】本実施の形態におけるフォーム印刷システムを構成する画像形成装置及びフォーム管理サーバの各ブロック構成図である。
【図５】本実施の形態におけるフォーム印刷処理を示したフローチャートである。
【符号の説明】
【００３９】
２  ＬＡＮ、４  ファイアウォール、６  公衆網、１０  画像形成装置、１１，５１  ＣＰＵ、１２  アドレスデータバス、１３  操作パネル、１４  スキャナ、１５，５４  ハードディスクドライブ（ＨＤＤ）、１６  プリンタエンジン、１７  ネットワークインタフェース（Ｉ／Ｆ）、１８，５３  ＲＡＭ、１９，５２  ＲＯＭ、２０  外部メディアインタフェース（Ｉ／Ｆ）、２１  取得処理部、２２  特定処理部、２３  合成指示送信部、２４  確認用画像データ受信部、２５  表示処理部、２６  印刷指示受付処理部、２７  印刷ジョブ生成依頼処理部、２８  印刷ジョブ受付部、２９  印刷処理部、５０  フォーム管理サーバ、５５  ＨＤＤコントローラ、５６  マウス、５７  キーボード、５８  ディスプレイ、５９  入出力コントローラ、６０  ネットワークコントローラ、６１  内部バス、７１  合成指示受付部、７２  確認用画像データ生成処理部、７３  確認用画像データ送信部、７４  印刷ジョブ生成依頼受付部、７５  印刷ジョブ生成処理部、７６  印刷ジョブ送信部、７７  フォームデータベース。
【図１】
2008112312.tif 000003
【図２】
2008112312.tif 000004
【図３】
2008112312.tif 000005
【図４】
2008112312.tif 000006
【図５】
2008112312.tif 000007